(57)【要約】【課題】火災に対する安全性を確保した状態で、配線固定用の板金製のケーブルクランプの取り付け作業等を容易に行うことができる空気調和機の室外機及びこれを備えた空気調和機を提供すること。【解決手段】中央部に電源配線２０を挟み込む突設部２が形成され、その両側に脚部３、４が設けられ、一方の脚部３に差し込み部５が形成された金属製のケーブルクランプ１を備え、差し込み部５を外殻パネルの差し込み穴１１に係止すると共に、差し込み部５を設けた側の脚部３により差し込み穴１１を覆い、ケーブルクランプ１の他方の脚部４を外殻パネルにねじ止めした。【選択図】図３
2010144944.tif 000002
【特許請求の範囲】
【請求項１】
中央部に電源配線を挟み込む突設部が形成され、その両側に脚部が設けられ、一方の脚部に差し込み部が形成された金属製のケーブルクランプを備え、
前記差し込み部を外郭パネルの差込み穴に係止すると共に、前記差し込み部を設けた側の脚部により前記差し込み穴を覆い、前記ケーブルクランプの他方の脚部を前記外殻パネルにねじ止めしたことを特徴とする空気調和機の室外機。
【請求項２】
前記突設部、脚部および差し込み部からなるケーブルクランプが金属板により一体に成形されたことを特徴とする請求項１記載の空気調和機の室外機。
【請求項３】
電気品と配管接続部を覆う樹脂製のカバーと、該樹脂製のカバーの内側に配設され、前記電気品の開口部を覆う金属製のカバーとを備え、
前記樹脂製のカバーおよび金属製のカバーのそれぞれにねじ挿通穴を設け、
前記金属製のカバーのねじ挿通穴に前記樹脂製のカバーの板厚に対応する円筒状の絞り部を設け、該絞り部が前記樹脂製カバーのねじ挿通穴の内周に嵌合するようにしたことを特徴とする空気調和機の室外機。
【請求項４】
前記樹脂製のカバーと金属製のカバーとに、これらを係止させる係止部を設けたことを特徴とする請求項３記載の空気調和機の室外機。
【請求項５】
室内機と室外機とを接続する冷媒配管の断熱材の外周にアルミ製のテープを巻き付けたことを特徴とする請求項１〜４のいずれかに記載の空気調和機の室外機。
【請求項６】
請求項１〜５のいずれかの室外機を備えたことを特徴とする空気調和機。
【発明の詳細な説明】
【技術分野】
【０００１】
本発明は、空気調和機の室外機及びこれを備えた空気調和機に係り、より詳しくは、火災による製品内部への延焼を防止することができる空気調和機の室外機及びこれを備えた空気調和機に関する。
【背景技術】
【０００２】
空気調和機の室外機において、側面の電気品及びバルブのカバーに火災が生じた場合、製品内部まで延焼するおそれがある。
このため、従来は、端子台の周囲を配線固定用の防炎カバーで塞ぎ、その両側を２本のねじで固定して製品内部まで延焼しないようにしていた（例えば、特許文献１参照）。
また、電気部品を覆う板金製のカバーをねじで固定し、その上にさらに樹脂製のパックドカバーをねじで取り付けるようにしたものもある（例えば、特許文献２参照）。
【０００３】
【特許文献１】特開平１１−２４２８号公報（第４頁、図１）
【特許文献２】特開平７−６３３７４号公報（第４頁、図１）
【発明の開示】
【発明が解決しようとする課題】
【０００４】
特許文献１に係る技術は、配線固定用の防炎カバーの両側をねじ固定としているため、配線固定の際に作業性が悪い。
また、特許文献２に係る技術は、板金製のカバーをねじで固定した後、樹脂製のパックドカバーをさらにねじで取り付けなければならず、作業性が悪い。
【０００５】
本発明は、上記のような課題を解決するためになされたもので、火災に対する安全性が確保され、さらに、ケーブルクランプの取り付け作業や、金属製のカバーと樹脂製のカバーの取付を容易に行うことができる空気調和機の室外機及びこれを備えた空気調和機を提供することを目的とする。
【課題を解決するための手段】
【０００６】
本発明に係る空気調和機の室外機は、中央部に電源配線を挟み込む突設部が形成され、その両側に脚部が設けられ、一方の脚部に差し込み部が形成された金属製のケーブルクランプを備え、差し込み部を外殻パネルの差込み穴に係止すると共に、差し込み部を設けた側の脚部により差し込み穴を覆い、ケーブルクランプの他方の脚部を外殻パネルにねじ止めしたものである。
また、本発明に係る空気調和機は、上記の室外機を備えたものである。
【発明の効果】
【０００７】
ケーブルクランプを容易に取り付けることができ、しかも、このケーブルクランプにより外郭パネルの差し込み部を塞いで、火災時に外部からの炎によって製品内部に延焼するのを防止することができる。
【発明を実施するための最良の形態】
【０００８】
実施の形態１．
図１は本発明の実施の形態１に係る空気調和機の室外機の斜視図、図２は図１の外郭パネルの側面の分解斜視図、図３は図２の要部の分解斜視図である。
図において、室外機の外郭パネルの側面１０には、電源配線２０を固定するケーブルクランプ１が取り付けられている。ケーブルクランプ１の中央部には突設部２が形成され、その両側には第１、第２の脚部３、４が設けられており、第１の脚部３には差し込み部５が形成され、第２の脚部４にはねじ挿通穴６が形成されている。そして、これらは一枚の金属板により一体に成形されている。
【０００９】
上記のように構成したケーブルクランプ１の第１の脚部３に設けられた差し込み部５は、外郭パネルの側面１０に設けられた差し込み穴１１に挿入して係止され、第２の脚部４のねじ挿通穴６に挿通したねじ７を外郭パネルの側面１０に設けられたねじ穴１２に螺入して、第２の脚部４を外郭パネルの側面１０に固定したものである。このとき、差し込み部５が設けられた側の第１の脚部３の面により、外郭パネルの側面１０の差し込み穴１１が覆われて塞がれる。そして、突設部２の裏面側には、外郭パネルの側面１０との間に隙間部４ａが形成され、この隙間部４ａは電源配線２０の太さよりも若干狭く形成され、この隙間部４ａに電源配線２０が挟み込まれている。
【００１０】
また、空気調和機の室内機と室外機とは冷媒配管３０により接続されており、この冷媒配管３０は内部に冷媒が流れる２本の銅管３１、３２からなり、その回りには、配管同士による性能低下および外気との熱交換による性能低下、さらに低温部の結露を防止するために、ポリエチレン製の断熱材３３、３４が巻かれている。さらに、断熱材３３、３４付きの銅管３１、３２の外周は、アルミニウム製のテープ３５でまとめて覆われており、断熱材３３、３４が直接、外部に露出しないようにしてある。
【００１１】
そして、これらの電気品及び冷媒配管３０が接続されたバルブ３６、３７を覆うようにして、樹脂製カバー４０がさらに室外機の側面にねじ止めされている。
【００１２】
次に、組み立て手順の一例を説明する。
室内機と室外機を据え付ける際に、電源配線２０及び冷媒配管３０を接続するために室外機の側面より樹脂カバー４０を取り外す。
次に、ケーブルクランプ１の突設部２の裏面に電源配線２０を添えて、ケーブルクランプ１の差し込み部５を外郭パネルの側面１０の差し込み穴１１に挿入して係止し、第２の脚部４のねじ挿通穴６にねじ７を挿通して、外郭パネルの側面１０に設けられたねじ孔１２に螺入し、ねじ止めする。こうして、電源配線２０を室外機の外郭パネルの側面１０に固定する。このとき、ケーブルクランプ１の第１、第２の脚部３、４は外郭パネルの側面１０とほぼ同じ高さになり、差し込み部５を設けた側の第１の脚部３の面は、側面１０の差し込み孔１１を外側から蓋をするようにして塞ぐ。
そして、これらの電気品及びバルブ３６、３７を覆うようにして、さらに樹脂製カバー４０を外郭パネルの側面１０にねじ止めする。
【００１３】
本実施の形態１によれば、ケーブルクランプ１は、中央部に突設部２を有し、その両側に第１、第２の脚部３、４が形成され、第１の脚部３に差し込み部５が、また、第２の脚部４にねじ挿通穴６が形成されているので、差し込み部５が形成された側の第１の脚部３の面により外郭パネルの側面１０の差し込み穴１１を塞ぐことができる。また、固定の際にはケーブルクランプ１の片側のみをねじ７で固定すればよい。このように据え付け操作が容易なうえ、外郭パネルの側面１０に開口された差し込み穴１１を塞いで配線固定することができ、外部からの炎による製品内部への延焼を防止することができるので、火災発生時の安全性が高い。
【００１４】
また、冷媒配管３０の銅管３１、３２に巻かれた断熱材３３、３４には発泡ポリエチレン等の可燃性の材料が使用されているため、一旦火がつくと激しく燃焼するが、その周囲にアルミ製のテープ３５を巻き付けて覆うようにしたので、外部からの着火による延焼を防止することができる。
【００１５】
実施の形態２．
図４は本発明の実施の形態２に係る空気調和機の室外機の外郭パネル側面の分解斜視図、図５は図４の要部を拡大した斜視図である。
この室外機の外郭パネルの側面１０には、電気品及びバルブのカバーである樹脂製のカバー４０が取付けられ、その内側には側面１０の電気品開口部を覆う薄い金属製のカバー５０が取り付けられている。
【００１６】
樹脂製のカバー４０の周縁部には取付フランジ４０ａが設けられており、その裏面には係止爪４１が形成され、さらに距離を隔ててねじ挿通穴４２が設けられている。また、金属製のカバー５０の周縁部にも取付フランジ５０ａが設けられており、樹脂製のカバー４０の係止爪４１に対向する位置に係止穴５１が設けられ、ねじ挿通穴４２に対向する位置にバーリング加工されたねじ挿通穴５２が設けられている。金属製カバー５０のねじ挿通穴５２の縁は、絞り加工により樹脂製のカバー４０の取付フランジ４０ａの板厚に相当する高さの絞り加工による円筒状の絞り部５２ａが施されており、その絞り部５２ａが樹脂製のカバー４０のねじ挿通穴４２の内周に嵌合する。
【００１７】
次に、組み立て手順の一例を説明する。
樹脂製のカバー４０と金属製のカバー５０とを組み合わせると、樹脂製のカバー４０の係止爪４１が金属製のカバー５０の係止穴５１に係止し、樹脂製のカバー４０のねじ挿通穴４２の内周に金属製のカバー５０のねじ挿通穴５２の絞り部５２ａが嵌入して、樹脂製のカバー４０と金属製のカバー５０とが仮固定され、一体化する。そして、この状態でねじ挿通穴４２、５２に固定ねじ６０を挿通して外郭パネルの側面に設けたねじ孔１２に螺入し、固定する。
【００１８】
本実施の形態２によれば、樹脂製のカバー４０の係止爪４１が金属製のカバー５０の係止穴５１に係合し、樹脂製のカバー４０のねじ挿通穴４２の内周に金属製のカバー５０のねじ挿通穴５２の絞り部５２ａが嵌合するので、仮固定された状態で一体的に取り扱うことができ、このため、取り付け時、取り外し時にカバーごとに行う煩雑な作業を回避することができ、据え付け操作が容易である。
【００１９】
そして、火災時には、内側に金属製のカバー５０が設けられているので、外部からの炎が製品内部に延焼するのを防止することができ、火災発生時の安全性が高い。
また、樹脂製のカバー４０が外部からの炎により燃焼し、熔解、焼失した場合においても、内側の金属製のカバー５０が、ねじ挿通穴５２の絞り部５２ａを介して固定ねじ６０により、外郭パネルの側面１０に固定されているため、金属製のカバー５０を保持することができる。そして、金属製のカバー４０のねじ挿通穴５２に絞り部５２ａを形成して樹脂製のカバー４０の板厚と同じ高さにしてあるので、樹脂製のカバー４０が燃焼し、熔解、焼失した後でも、金属製のカバー５０がガタ付くことはない。
【図面の簡単な説明】
【００２０】
【図１】本発明の実施の形態１に係る空気調和機の室外機の斜視図である。
【図２】図１の外郭パネルの側面の分解斜視図である。
【図３】図２の要部の分解斜視図である。
【図４】本発明の実施の形態２に係る空気調和機の室外機の外郭パネル側面の分解斜視図である。
【図５】図４の要部を拡大した斜視図である。
【符号の説明】
【００２１】
１  ケーブルクランプ、２  突設部、３  第１の脚部（一方の脚部）、４  第２の脚部（他方の脚部）、５  差し込み部、６  ねじ挿通穴、１０  外郭パネルの側面（外郭パネル）、１１  差し込み穴、１２  ねじ穴、２０  電源配線、３０  冷媒配管、３３、３４  断熱材、３５  アルミ製のテープ、４０  樹脂製のカバー、４１  係止爪、４２、５２  ねじ挿通穴、５０  金属製のカバー、５１  係止穴、５２ａ  絞り部。
【図１】
2010144944.tif 000003
【図２】
2010144944.tif 000004
【図３】
2010144944.tif 000005
【図４】
2010144944.tif 000006
【図５】
2010144944.tif 000007